(57)【要約】濾材を容易且つ迅速に交換することができ、且つ、処理水の用途に応じて処理水中の残留塩素濃度をゼロから水道水原水の濃度まで調節することができる浄水装置を提供する。【解決手段】上水道及び水使用機器への配管に連なる流入管３及び排出管４が設けられた筒状容器１と、筒状容器１を密閉状態で閉塞する着脱自在の底蓋２と、筒状容器１内に装脱自在に収納された濾過カートリッジ１０と、濾過カートリッジ１０内に形成された濾過層８とからなる浄水装置において、濾過層８を、活性炭８ａ、テラヘルツセラミック８ｂ、マグマセラミック８ｃ、ケイ酸・アルミニウムセラミック８ｄ及びケイ酸・酸化鉄セラミック８ｅを積層して構成する。【選択図】図１
0003186243.tif 000002
【実用新案登録請求の範囲】
【請求項１】
上水道及び水使用機器への配管に連なる流入管及び排出管が設けられた筒状容器と、該容器を密閉状態で閉塞する着脱自在の蓋体と、該容器内に装脱自在に収納された濾過カートリッジと、該濾過カートリッジ内に形成された濾過層とからなる浄水装置において、当該濾過層が活性炭、テラヘルツセラミック、マグマセラミック、ケイ酸・アルミニウムセラミック及びケイ酸・酸化鉄セラミックを積層してなることを特徴とする浄水装置。
【請求項２】
濾過層により脱塩素された処理水中に原水（水道水）を混入する調節部を有することを特徴とする請求項１記載の浄水装置。
【請求項３】
バルブ操作により切換え可能な逆洗浄通水路、処理通水路並びにバイパス通水路（水道水通水路）を設けたことを特徴とする請求項１又は請求項２記載の浄水装置。
【考案の詳細な説明】
【技術分野】
【０００１】
本考案は、水道水を浄化するための浄水装置、特に業務用に使用される浄水装置に関するものである。
【背景技術】
【０００２】
現在、水道水中に含まれている塩素臭や原水中に浮遊する不純物等を除去するための浄水装置が広く使用され、家庭用から業務用のものまで種々の様態のものが使用されている。そして、その構造はほとんどのものが浄水装置の容器本体内に活性炭等の濾材を収納し、濾材の流出を防止する仕切板等により濾過層を設けた構成にされている。
【０００３】
この種の浄水装置として、例えば、吐水口に通じる水路内に異種金属からなる一対の電極を対設してガルバニック電池を構成し、両電極間において発生した起電力により浄水後の残留塩素濃度を検出するようにした塩素濃度検出センサーをと、該センサーからの検出値を設定基準塩素濃度と比較し、これを演算処理して予め設定した濃度に達するようにコントロールする制御装置を備えた塩素濃度制御装置付浄水装置（特許文献１参照。）。原水径路と浄水径路とを切替える手段を備え、かつ浄水径路に、活性炭などの処理剤、フィルターなどで構成した水浄化部または、ミネラル含浸材を有するミネラル溶出部を交換可能に備える一方、残留塩素濃度が所定の値以上または、ミネラル分濃度が所定の値以下の判定、あるいはその両方の判定を行なう手段と、その判定結果により水処理部材交換の時期を知らせる警報手段を備えた浄水装置（特許文献２参照。）。水道水等の原水にオゾンを注入して浄化するためのオゾン高度浄水装置において、原水に高圧状態下でオゾンを注入して有機物や塩素等を酸化・分解させるオゾン注入機と、そのオゾン注入機でオゾンが注入された１次処理水を活性炭槽に通過させて有機物や塩素等を吸着させると共にオゾンを分解する活性炭と、その活性槽からの２次処理水を天然石砂層に通過させて濾過すると共に天然石砂槽とを備えたオゾン高度浄水装置（特許文献３参照。）等、種々提案されている。
【０００４】
本出願人も先に、筒状本体内部に濾過材を収納してなり、濾過時と逆方向に水を流通させる逆洗機能を備えた浄水装置において、逆洗のための流路切替え機構を前記筒状本体と一体的に設けた浄水装置を提案している。この浄水装置は、筒状本体の底蓋に、原水が流入する原水取入口、原水を円筒状の弁室を介して濾過部へ供給する原水給水口、濾過部から浄化水を流出する浄化水取出口、浄化水を前記円筒状の弁室を介して排出する浄化水排水口を設けると共に、前記弁室内に回動自在に設けられた円柱状の弁体と、該弁体を前記弁室の円周方向に回動操作するレバーとを設け、前記弁体は、原水取入口から流入した水を、前記原水給水口又は浄化水取出口に選択的に切替えて流通させ、原水の浄化と逆洗とを行なう浄水装置の逆洗機構を備えている（特許文献４参照）。
【先行技術文献】
【特許文献】
【０００５】
【特許文献１】実公平４−２２８７５号公報
【特許文献２】特公平５−３３１２０号公報
【特許文献３】特開２００２−２８６７３号公報
【特許文献４】特開２００１−１４９９２４号公報
【特許文献５】特開２００８−２４６３７６号公報
【考案の概要】
【考案が解決しようとする課題】
【０００６】
上述したような濾過方式の浄水装置において、当初は所期の濾過能力を発揮するものの経年により濾過能力が低下する。このため濾材の交換は必須であった。また、水道水は残留塩素濃度に地域差（０．１ｐｐｍ以上）があり、とくに夏季において塩素濃度を０（ゼロ）にした状態で長期間放置してしまうと、有害な細菌が発生する場合があるという課題があった。
【０００７】
そこで、例えば、特許文献５に開示されているように、銀添着活性炭で水を濾過処理する活性炭処理部を有する前処理カートリッジと、この前処理カートリッジで処理された水を逆浸透膜又はナノ濾過層で膜濾過する膜濾過カートリッジを備え、電圧を印加した電極から塩素を生成し、水の塩素濃度を制御することが可能な殺菌ユニットを備えた浄水装置が提案されている。
【０００８】
また、業務用の大型の装置の場合、濾材や仕切板を浄水装置本体内に直接収納しているものが多いので、その交換は人手により行わねばならず、多大な労力を要するばかりでなく、交換及びそれに伴うメンテナンス作業中は断水してしまうという理由から作業時間の短縮化が属望されていた。
【０００９】
本考案は、上記のような種々の課題に鑑み、濾材を容易且つ迅速に交換することができ、浄水装置本体のメンテナンス時に通水を止めることなく作業でき、且つ、処理水の用途に応じて処理水中の残留塩素濃度を０（ゼロ）から水道水原水の塩素濃度まで調節することができる浄水装置を提供すること目的とする。
【課題を解決するための手段】
【００１０】
このため本考案では、上水道及び水使用機器への配管に連なる流入管及び排出管が設けられた筒状容器と、該容器を密閉状態で閉塞する着脱自在の蓋体と、該容器内に装脱自在に収納された濾過カートリッジと、該濾過カートリッジ内に形成された濾過層とからなる浄水装置において、当該濾過層が活性炭、テラヘルツセラミック、マグマセラミック、ケイ酸・アルミニウムセラミック及びケイ酸・酸化鉄セラミックを積層してなることを第１の特徴とする。また、濾過層により脱塩素された処理水中に原水（水道水）を混入する調節部を有することを第２の特徴とする。さらに、バルブ操作により切換え可能な逆洗浄通水路、処理通水路並びにバイパス通水路（水道水通水路）を設けたことを第３の特徴とする。
【考案の効果】
【００１１】
本考案は以上のように構成したことにより、以下の優れた効果がある。
（１）濾過材を筒状容器に装脱自在なカートリッジ式にしたので、濾過材の交換作業を容易且つ迅速に行うことができる。
（２）濾過材を充填したカートリッジにより脱塩素された処理水中に原水（水道水）を混入する調節部を有するので、処理水の用途に応じて処理水中の残留塩素濃度を０（ゼロ）から水道水原水の濃度まで調節することができる。
（３）本体配管中のバルブ操作により、逆洗浄通水、処理通水、バイパス通水（水道水通水）ができる。
（４）定期的に逆洗浄を行なうことで、カートリッジの目詰まりを防止し、通水量の減少を防ぐことができる。
（５）浄水装置本体のメンテナンス時に通水を止めることなく作業できる。
（６）ケイ酸・酸化鉄、ケイ酸・アルミニウム、マグマの３種類のセラミックに遠赤外線作用を持つテラヘルツセラミックを組合せることによる相乗効果により水道水が処理される。
（７）処理水中の溶存酸素が増し、減菌効果及び水中の不純物の処理効果がある。
【図面の簡単な説明】
【００１２】
【図１】本考案に係る浄水装置一実施例を示す正面図である。
【図２】図１の（ａ）は平面図、（ｂ）は底面図である。
【図３】本考案に係る浄水装置の濾過カートリッジを示す外観正面図である。
【図４】本考案に係る浄水装置の濾過カートリッジの内部構造を示す正面図である。
【図５】濾過カートリッジの脚部を示す（ａ）は外観正面図、（ｂ）はその底面図である。
【図６】濾過カートリッジの脚部を示す（ａ）は正面断面図、（ｂ）はその平面図である。
【図７】図６（ａ）の右側面図である。
【図８】濾過カートリッジ内の濾過材の積層構成を模式的に示す斜視図である。
【図９】処理水の通水状態を示す浄水装置の斜視図である。
【図１０】逆洗浄の通水状態を示す浄水装置の斜視図である。
【図１１】バイパス通水状態を示す浄水装置の斜視図である。
【考案を実施するための形態】
【００１３】
以下、図面に示す実施例に基づいて本考案の実施の形態について説明する。尚、本考案にかかる浄水装置は、以下の実施例に限定されるものではなく、各構成要素については使用状況や使用目的によって適宜変更することができる。
【実施例】
【００１４】
図１乃至図４に示すように、本考案に係る浄水装置は、筒状容器１と、底蓋（蓋体）２をクランプ（図示せず）にて着脱自在に固定されている。底蓋２の下端部にはタンク内部に貫通する原水注入孔３及４が形成されている。また、図９に示すように、外部配管（図示せず）に連通して水道水が流入される流入管２１と浄化された水が排出される排出管２２が設けられている。
【００１５】
筒状容器１の内側には、底部にカートリッジ挿通棒（図示せず）が立設され、上面略中央部に支軸５が突設された濾過材押圧蓋１９がエアー抜きネジ１５にＯリング１７を介して取付けられている。カートリッジ挿通棒とエアー抜きねじ１５によって筒状容器１内部に固定支持される濾過用カートリッジ１０の脚体７は、一対の脚部７ａ及び７ｂを備え、上端が開口された円筒碗形状をしており、底面に水を通過させるための透孔７ｃが穿設される。
【００１６】
上述の濾過層８の構造を詳述する。図８に示すように、カートリッジ内濾過材は概ね下記のような濾材層を成して、濾過材受板１８上に各々フィルター２０を介して構成されている。
第１濾材層：活性炭８ａ（機能：脱塩素・減菌作用・水の濾過・不純物の吸着）
第２濾材層：テラヘルツセラミック８ｂ（機能：遠赤外線作用・水の浄化）
第３濾材層：マグマセラミック８ｃ（機能：微量ミネラル付与・水の弱アルカリ化）
第４濾材層：ケイ酸・アルミニウムセラミック８ｄ（機能：減菌作用・溶存有機物の分解）
第５濾材層：ケイ酸・酸化鉄セラミック８ｅ（機能：減菌作用・溶存酸素の増加・溶存有機物の分解）
【００１７】
以上の構成により濾過層８内部は５つの濾層に区分される。ここで、第３濾材のマグマセラミック８ｂとは、アルミナ含量の多い粘土、炭酸カルシウム含量の多い岩石及び二酸化ケイ素を主成分とし、これに微量の酸化鉄、酸化カリウム、チタンを含む火山灰の各粉末を、ほぼ等量用いて混練し、１０００℃前後の高温で焼成したものである。第４濾材は、ケイ酸アルミニウムを主成分とする合成焼成物媒体であり、Ａｌ２Ｏ３・ＳｉＯ２を主成分とする粘土を混練し、８００℃〜１０００℃以上で焼成成形したものである。第５濾材は、酸化第二鉄を主成分とする合成焼成物媒体であり、Ｆｌ２Ｏ３を主成分とし、Ａｌ２Ｏ３・ＳｉＯ２を主成分とする白土を、重量比１：１にして混練し、１０００℃以上で焼成成形したものである。ケイ酸アルミニウム媒体は、原材料としてカオリナイト等の粘土鉱物を使用するので、有機物質の吸着能、とくに蛋白質の吸着能に優れ、原水中の有機物質を補足するほかイオン等の吸着もできる。
【００１８】
また、図１に示すように、本願浄水装置は、濾過層８により脱塩素された処理水中に原水（水道水）を混入する調節部である水道水混入調節ネジ１６を有し、処理水の用途に応じて処理水中の残留塩素濃度を０（ゼロ）から水道水原水の塩素濃度まで調節することができる。さらに、図９乃至図１１に示すように、バルブ（三方口コック１１、二方口コック１２及び逆洗浄水排出コック１３）の操作により、図中矢示するように、逆洗浄通水路、処理通水路並びにバイパス通水路（水道水通水路）９が切換え可能になり、逆洗浄通水、処理通水、バイパス通水（水道水通水）ができる。尚、定期的の逆洗浄を行なうことにより、カートリッジの目詰まりを防止し、通水量の減少を防ぐことができる。また、図１１に示すように、バイパス通水を行なえば、浄水装置本体のメンテナンス時に通水を止めることなく作業できる。尚、図中１４は、浄水装置から完全に水を排出させる際に用いる水抜きコックである。
【符号の説明】
【００１９】
１    筒状容器
２    底蓋（蓋体）
３    原水注入口（流入管）
４    処理水排出口（排出管）
５    支軸
６    通水入口
７    濾過カートリッジ受部（脚体）
７ａ  脚部
７ｂ  脚部
７ｃ  透孔
８    濾材層
８ａ  活性炭層（第１濾過材）
８ｂ  テラヘルツセラミック層（第２濾材）
８ｃ  マグマセラミック層（第３濾材）
８ｄ  ケイ酸・アルミニウムセラミック層（第４濾材）
８ｅ  ケイ酸・酸化鉄セラミック層（第５濾材）
９    バイパス管（水道水通水路）
１０  濾過カートリッジ
１１  三方口コック（処理通水・逆洗通水・バイパス通水切換用）
１２  二方口コック（バイパス通水切換用）
１３  逆洗浄水排水コック
１４  水抜きコック
１５  エアー抜きねじ
１６  水道水混入調節ネジ
１７  Ｏリング
１８  濾過材受板
１９  濾過材押圧蓋
２０  フィルター
２１  水道水流入管
２２  排出管
【図１】
0003186243.tif 000003
【図２】
0003186243.tif 000004
【図３】
0003186243.tif 000005
【図４】
0003186243.tif 000006
【図５】
0003186243.tif 000007
【図６】
0003186243.tif 000008
【図７】
0003186243.tif 000009
【図８】
0003186243.tif 000010
【図９】
0003186243.tif 000011
【図１０】
0003186243.tif 000012
【図１１】
0003186243.tif 000013